(57)【特許請求の範囲】
【請求項１】
中間部（１２）を有する時計枠（１０）と、竜頭（２０）に取付けられ、かつ、中間部（１２）に回転可能に軸支された巻真（１６）と、スライド可能に、かつ、巻真（１６）と同軸に取付けられた押動部材（１８）とを備えて成る時計用押動部材操作装置であって、
その一端において、時計枠側面と実質的に平行な面内で回転可能に前記時計枠（１０）に軸支され、そのレバー中間部（３２b）において、前記押動部材（１８）と協動するための接点と、他端（３２c）において、凹面形をした操作部とを有するレバー（３２）をさらに含み、
前記押動部材が、その外側端部を通じ、竜頭（２０）と部分的に連動する突出ボタン（２３）を有すること、
時計枠（１０）が、さらにまた、竜頭（２０）と押動部材（１８）とに跨り、かつ、その両端において中間部（１２）に固定されたあぶみ形状部材（２４）を含むこと、
および、レバー（３２）が、前記あぶみ形状部材（２４）上に回転可能に軸支され、かつ、前記あぶみ形状部材（２４）の前記竜頭（２０）に跨る部分とボタン（２３）との間に延在し、次いで、あぶみ形状部材（２４）とは別のところに操作部を形成していることを特徴とする時計用押動部材操作装置。
【請求項２】
時計枠（１０）が、内部に押動部材（１８）および巻真（１６）を備える筒状部材（１４）を含むこと、
および、あぶみ形状部材（２４）が、その両端に取付けられ、前記筒状部材（１４）を包み込み、かつ、把持するクランプ（２６）を備えて成ることを特徴とする前記請求項１に記載の装置。
【請求項３】
中間部（１２）を有する時計枠（１０）と、竜頭（２０）に取付けられ、かつ、中間部（１２）に回転可能に軸支された巻真（１６）と、スライド可能に、かつ、巻真（１６）と同軸に取付けられた押動部材（１８）とを備えて成る時計用押動部材操作装置であって、
その一端において、時計枠側面と実質的に平行な面内で回転可能に前記時計枠（１０）に軸支され、そのレバー中間部（３２b）において、前記押動部材（１８）と協動するための接点と、他端（３２c）において、凹面形をした操作部とを有するレバー（３２）をさらに含み、
押動部材（１８）が、巻真（１６）を包み込む管で形成されると共に、前記竜頭（２０）と前記中間部（１２）との間に挿入される環状部分を有し、
および、前記レバー（３２）が、該環状部分と該竜頭（２０）との間に差し挟まれることを特徴とする時計用押動部材操作装置。
【請求項４】
前記中間部（１２）が、回転可能に軸支された前記レバー（３２）に植込みボルト（１２ａ）を備えて成ることを特徴とする前記請求項３に記載の装置。
【請求項５】
竜頭（２０）および押動部材（１８）が、９時の位置に配置され、かつ、操作部（３２c）が、７時および８時の位置から成る領域に配置されることを特徴とする前記請求項１〜４のいずれか一項に記載の装置。
【発明の詳細な説明】
【０００１】
本発明は、時刻合わせをするための竜頭を備え、また、その時計が機械的動力源を有する時には、ぜんまい箱（香箱）中のぜんまいを巻き上げるための竜頭を備えた時計用押動部材操作装置に関する。更に詳しくは、本発明は、竜頭と同軸の押動部材を備えた時計に関する。このような時計は、例えば、Ｂ．ハンバート・スクリプターＳＡ・ローザンヌ  １９５５年「ル  クロノグラフ」（"Le Chronographe" B.Humbert,Scriptar SA, Lausanne 1955）と題する著書に開示され、かつ、示されている。それらは、通常、クロノグラフまたはカウンターである。
【０００２】
本発明の記述の範囲内において、時計の周縁部に配置された各種部材のその位置は、時針が所与の時刻に指し示すその位置をもって、定義される。
【０００３】
スイス特許公報Ｎｏ．２２６７１５に提案されているように、竜頭に対して同心に押動部材を配置するという事実は、時計枠の構造を簡単にし、時計に特別な外観を与えることができる。普通、竜頭は、３時の位置に取付けられている。この位置は、巻き上げ及び時刻合わせをするには、人間工学的に好ましい位置である。しかし、この位置に取付けられた押動部材に力を加えるには、不自然な動作を必要とする。本発明の目的は、この欠点を克服することにある。
【０００４】
本発明の装置は、一端を時計枠に軸支し、かつ、時計の平面と実質的に平行な面内で回転可能に取付けられ、かつ、中央部において押動部材と協動可能となるように仕向けられて接点および他端に形成された凹形状の操作部を有するレバーを備えて成ることを特徴とする。押動部材とレバーとの組合せは、知られており、特に、米国特許公報３７５９０３３、欧州特許公報０４４３０８７またはスイス特許公報１３８６５／７５に押動部材が時計枠に一体化された構造を有するクロノグラフまたはカウンターが開示されている。
【０００５】
装置が完全にその機能を発揮するには、レバーが時計枠に確実に固定されていなければならず、さらに、誤作動を生じないように配置されなければならない。この理由は、第一の態様において、押動部材が竜頭と部分的に連動し、かつ、突起部を有するボタンを備えているからである。時計枠は、竜頭と押動部材とに跨るあぶみ形状部材を備えて成る。このあぶみ形状部材の両端部は、中間部品と結合している。レバーは、回転可能に軸支され、跨座位と押動部材との間に延在し、次いで、あぶみ形状部材とは別のところに操作部を形成している。
【０００６】
有利には、時計枠は、押動部材と巻真とを内部に有する筒状部材を有し、あぶみ形状部材は、その両端に取付けられ、管を包み込み、かつ、把持するクランプを備える
第二の態様は、レバーを時計枠に確実に取付け、かつ、誤操作を防止するために、押動部材は、竜頭と中間部との間に挿入された環状部を有し、そして、レバーは、環状部と竜頭との間に挿入される。
【０００７】
安全かつ信頼性高く取付けるために、中間部は、レバーが回転可能に軸支されるように、植込みボルトを備えて成る。
【０００８】
竜頭が、９時の位置にあり、そして操作部が、おおよそ８時の位置にある場合、それらが、肘側にあるので、突出部材が良好に保護された状態になるから、そのような解決手段は、特に有効である。結果的に、何か物を引っ掛けてしまうというような好ましくない事態が、減少することになる。
【０００９】
本発明の他の態様と効果とについて、添付図面を参照しながら、以下、記述する。
【００１０】
図１および２は、特に、中間部１２とその穴部に挿入された管１４とを含む時計枠１０を含む時計の部分を示す。図には示されていないが、時計動作部は、時計枠１０の中に存在する。クロノグラフ型時計は、巻真１６と押動部材１８とによって制御される。
【００１１】
管１４は、第一部分１４ａと第二部分１４ｂとから形成され、この１４aは、中間部１２に配置されている。第二部分１４ｂは中間部の外側まで伸びており、、環状フランジ１４ｃと管の軸に平行に形成された溝１４ｄとを有する。
【００１２】
巻真１６は、その外側の端に、時刻合わせをするため、又は、機械式時計にあっては、動力源となるゼンマイを巻き上げるための竜頭２０を備える。竜頭２０は、環状をした第一外側部分２０ａ、巻真１６に固定されたハブを形成する第二部分２０ｂおよびハブ２０ｂを外側部分２０ａに結合するように、半径方向に延在する３本のスポーク２０ｃを形成した第三中間部分を含む。
【００１３】
押動部材１８は、筒状部材２２とその筒状部材の端に時計枠１０の外部の穴を塞ぐようにして締め付けられたキャップ２３とを備えてなる。筒状部材２２は、キャップ２３の近傍部において、管１４の外側で露出する部分全体にわたって延在する３本の溝２２ａを有する。そしてその筒状部材２２の中にスポーク２０が取付けられる。ハブ２０ｂおよびスポーク２０ｃからキャップ２３までの軸方向長さが、約１ｍｍの間隔であることは、注目すべきことである。結果として、押動部材が付随する機能を制御する押動部材の動きおよび時刻設定中における竜頭の動きを十分に確保することができる。
【００１４】
キャップ２３は、時計の機能を制御する目的で力を加えるボタンを形成する竜頭２０から突出している。
【００１５】
竜頭１６および押動部材１８の周囲にループを形成して成るあぶみ形状部材２４は、クランプ２６によって筒状部材１４に固定され、そのクランプ２６は、ネジ２８によってあぶみ形状部材２４に取付けられている。さらに詳しくは、あぶみ形状部材２４およびクランプ２６は、フランジ１４ａが内装されるところの、文字ａによって定義される環状の溝を有する。中空部２６ｂは、クランプ２６中に形成され、溝１４ｄと平行であり、溝１４ｄと同一の幅および長さを有する。キー３０は、溝１４ｄおよび中空部２６ｂから成る空間に配置され、かくして、あぶみ形状部材の回転が防止される。
【００１６】
あぶみ形状部材２４は、レバー３２を保持する。このレバー３２は、その一端３２aで、レバー３２の穴とあぶみ形状部材２４の穴とに挿入されたピン３４により、回転可能に軸支される。レバー３２は、時計の平面に実質的に平行な面内で可動する。この時計の平面は、その文字盤面により定義される。
【００１７】
レバー３２は、中間部３２bにおいて、キャップ２３に隣接し、押動部材１８と協動するための接点を有する。他端３２cは、凹面形であり、操作部である。
【００１８】
操作装置は、押動部材１４を押し戻すため、および、作動部への水の浸入防止用のガスケットを密着するためのバネを有する。これらの部位は、本発明の構成要素ではないので、詳細には説明されていない。
【００１９】
前記装置は、以下の機能を有する。
【００２０】
装置が図示された位置にあるときに、竜頭２０に作用するトルクが巻真１６の回転を生じさせ、もしも、その時計が機械式であれば、巻真１６が時計の動力源（ぜんまい）を巻き上げる。この回転トルクは、いかなる結果を生じさせることなく、押動部材１８も回転させる。
【００２１】
時計の時刻合わせをするためには、竜頭２０を引き出すことを要する。これは、竜頭２０の一部分である２０ｂおよびに２０ｃとキャップ２３との間における動きとして、可能である。
【００２２】
竜頭２０を回転させることにより、また、時計を作動させる周知の機械構造によって、時針の位置を調整することができる。
【００２３】
押動部材１８は、補助的制御機能、例えば、クロノグラフ機能にあっては、一回目の押しで、クロノグラフ機構作用が始まり、二回目で、停止し、三回目で、時針をゼロに合わせる。これらの機能を制御するには、指でレバー３２の端３２ｃを押す必要がある。この端があぶみ形状であることにより、良好な位置で力を加えることができるようになることは、注目に値する。
【００２４】
このレバー３２によって、押動部材を操作するために作用させる力は、その軸方向に作用させるものでないことを意味する。この位置にあることが好ましい。実際、時刻合わせ用の竜頭は、一般的に、３時の位置に取付けられている。この位置は、時計のぜんまいを巻くのに、最も好ましい位置である。しかし、この操作は、力を加えるには、不便であり、さらに、押動部材が竜頭から突き出ているので、何かを引っ掛ける恐れがある。
【００２５】
このおそれは、９時の位置に取付けることにより改善できる。更に、このようなレバーが存在すると、力を加える方向が、８時から９時の方向に変えることができて非常に好ましい。、
図３および４に示される装置の態様では、時計枠１０、中間部１２、管１４、巻真１６、押動部材１８、竜頭２０およびレバー３２が記載されている。この配置関係において、竜頭２０は、外側に位置し、管１４と巻真１６との間に挿入されたる押動部材１８は、環状をなし、菅１４の外側にまで同軸に突出し、しかして、竜頭との間にレバー３２が配置可能な空間を残している。
【００２６】
中間部１２は、穴１２bとスロット１２cとを有する植込みボルト１２aを備えて成る。穴３２dを有するレバー３２の端部３２aは、スロット１２cに挟み込まれ、また、穴１２bおよび穴３２dを重ね合わせた穴にピン３４を挿入することによって、植込みボルト上に回転可能に軸支される。
【００２７】
第二の態様は、押動部材が、通常、指の力を受けない位置に取付けられた態様である。結果的に、完成品の構造を極めて簡単にする。特に、竜頭および押動部材の構造を簡単にする。その上、レバーを保持するためのあぶみ形状部材を有する必要はなくなり、竜頭によって後者が保持される。
【図面の簡単な説明】
【図１】  図１は、本発明の第一の態様における制御装置の上面図である。
【図２】  図２は、図１における線II-IIを切断したときの断面図である。
【図３】  図３は、本発明の第二の態様における制御装置の平面図である。
【図４】  図４は、図３の断面図である。
【図１】
0004789387.tif 000002
【図２】
0004789387.tif 000003
【図３】
0004789387.tif 000004
【図４】
0004789387.tif 000005